(57)【要約】  本発明はＤＲＭコンテンツ提供方法及びシステムに関し、通信端末の特定のメインコンテンツの要請時に、コンテンツ供給機関がメインコンテンツ及びメインコンテンツに対応してあらかじめ設定されたサブコンテンツを含むＤＲＭコンテンツを通信端末に伝送し、権利発行機関がサブコンテンツの再生を保証するための制約条件情報を有する権利客体を通信端末に伝送し、ＤＲＭコンテンツ及び権利客体の受信時に、通信端末が権利客体を分析し、サブコンテンツを再生し、サブコンテンツの再生が完了すれば、メインコンテンツを再生するように構成される。本発明によれば、ＤＲＭコンテンツ提供システムにおいて権利客体の制約条件情報を通じて、通信端末でサブコンテンツの再生を保証することができる。これにより、ＤＲＭコンテンツ提供システムにおいてサブコンテンツを提供するのに所要される資源の無駄使いを抑制することができる。
2012514784.tif 000002
【特許請求の範囲】
【請求項１】
ＤＲＭコンテンツ提供方法において、
通信端末の特定のメインコンテンツの要請時に、コンテンツ供給機関が前記メインコンテンツ及び前記メインコンテンツに対応してあらかじめ設定されたサブコンテンツを含むＤＲＭコンテンツを前記通信端末に伝送する過程と、
権利発行機関が前記サブコンテンツの再生を保証するための制約条件情報を有する権利客体を前記通信端末に伝送する過程と、
前記ＤＲＭコンテンツ及び権利客体の受信時に、前記通信端末が前記権利客体を分析して前記サブコンテンツを再生し、前記サブコンテンツの再生が完了すれば、前記メインコンテンツを再生する過程と、を含むことを特徴とするＤＲＭコンテンツ提供方法。
【請求項２】
前記権利客体は、
前記権利客体の背景及び識別子を含む状況要素と、
前記サブコンテンツ及びメインコンテンツの識別子を含む協議要素と、
前記サブコンテンツ及びメインコンテンツの再生を許可し、前記制約条件情報を有する許可要素と、を含むことを特徴とする請求項１に記載のＤＲＭコンテンツ提供方法。
【請求項３】
前記制約条件情報は、
前記通信端末で前記サブコンテンツの再生速度を制限するための制約速度を含むことを特徴とする請求項１に記載のＤＲＭコンテンツ提供方法。
【請求項４】
前記再生過程は、
前記サブコンテンツを前記制約速度で再生する過程を含むことを特徴とする請求項３に記載のＤＲＭコンテンツ提供方法。
【請求項５】
前記制約条件情報は、
前記通信端末で前記サブコンテンツの再生回数を制限するための制約回数を含むことを特徴とする請求項１に記載のＤＲＭコンテンツ提供方法。
【請求項６】
前記再生過程は、
前記サブコンテンツの再生時に、前記サブコンテンツの再生回数をカウントする過程と、
前記サブコンテンツの再生停止時に、前記再生回数を前記制約回数と比較する過程と、
前記再生回数が前記制約回数以下なら、前記サブコンテンツを繰り返し再生し、そうでなければ、前記メインコンテンツを再生する過程と、を含むことを特徴とする請求項５に記載のＤＲＭコンテンツ提供方法。
【請求項７】
前記制約条件情報は、
前記通信端末で前記サブコンテンツの再生比率を制限するための制約基準を含むことを特徴とする請求項１に記載のＤＲＭコンテンツ提供方法。
【請求項８】
前記再生過程は、
前記サブコンテンツの再生停止時に、前記サブコンテンツの再生比率を前記制約基準と比較する過程と、
前記再生比率が前記制約基準を超過すれば、前記サブコンテンツの再生が完了したものと決定し、そうでなければ、前記サブコンテンツの再生が失敗したものと決定する過程と、を含むことを特徴とする請求項７に記載のＤＲＭコンテンツ提供方法。
【請求項９】
前記制約条件情報は、
前記通信端末で前記サブコンテンツの再生速度変更を制限するための制約変更データを含むことを特徴とする請求項１に記載のＤＲＭコンテンツ提供方法。
【請求項１０】
前記再生過程は、
前記サブコンテンツ再生中に前記サブコンテンツの再生速度変更を要求する時、前記制約変更データによって前記再生速度変更が可能であるか否かを判断する過程と、
前記再生速度変更が可能なら、前記再生速度を変更し、そうでなければ、前記再生速度を維持する過程と、を含むことを特徴とする請求項９に記載のＤＲＭコンテンツ提供方法。
【請求項１１】
メインコンテンツ及び前記メインコンテンツに対応するサブコンテンツを含むＤＲＭコンテンツを保存していて、前記メインコンテンツの要請時に、前記ＤＲＭコンテンツを伝送するコンテンツ供給機関と、
前記ＤＲＭコンテンツで前記サブコンテンツの再生を保証するための制約条件情報を有する権利客体を保存していて、前記権利客体の要請時に、前記権利客体を伝送する権利発行機関と、
前記ＤＲＭコンテンツ及び権利客体の受信時に、前記権利客体を分析して前記サブコンテンツを再生し、前記サブコンテンツの再生が完了すれば、前記メインコンテンツを再生する通信端末と、を含むことを特徴とするＤＲＭコンテンツ提供システム。
【請求項１２】
前記権利客体は、
前記権利客体の背景及び識別子を含む状況要素と、
前記サブコンテンツ及びメインコンテンツの識別子を含む協議要素と、
前記サブコンテンツ及びメインコンテンツの再生を許可し、前記制約条件情報を有する許可要素と、を含むことを特徴とする請求項１１に記載のＤＲＭコンテンツ提供システム。
【請求項１３】
前記制約条件情報は、
前記通信端末で前記サブコンテンツの再生速度を制限するための制約速度を含むことを特徴とする請求項１１に記載のＤＲＭコンテンツ提供システム。
【請求項１４】
前記通信端末は、
前記サブコンテンツを前記制約速度で再生することを特徴とする請求項１３に記載のＤＲＭコンテンツ提供システム。
【請求項１５】
前記制約条件情報は、
前記通信端末で前記サブコンテンツの再生回数を制限するための制約回数を含むことを特徴とする請求項１１に記載のＤＲＭコンテンツ提供システム。
【請求項１６】
前記通信端末は、
前記サブコンテンツの再生時に、前記サブコンテンツの再生回数をカウントし、前記サブコンテンツの再生停止時に、前記再生回数を前記制約回数と比較し、前記再生回数が前記制約回数以下なら、前記サブコンテンツを繰り返し再生し、そうでなければ、前記メインコンテンツを再生することを特徴とする請求項１５に記載のＤＲＭコンテンツ提供システム。
【請求項１７】
前記制約条件情報は、
前記通信端末で前記サブコンテンツの再生比率を制限するための制約基準を含むことを特徴とする請求項１１に記載のＤＲＭコンテンツ提供システム。
【請求項１８】
前記通信端末は、
前記サブコンテンツの再生停止時に、前記サブコンテンツの再生比率を前記制約基準と比較し、前記再生比率が前記制約基準を超過すれば、前記サブコンテンツの再生が完了したものと決定し、そうでなければ、前記サブコンテンツの再生が失敗したものと決定することを特徴とする請求項１７に記載のＤＲＭコンテンツ提供システム。
【請求項１９】
前記制約条件情報は、
前記通信端末で前記サブコンテンツの再生速度変更を制限するための制約変更データを含むことを特徴とする請求項１１に記載のＤＲＭコンテンツ提供システム。
【請求項２０】
前記通信端末は、
前記サブコンテンツ再生中に前記サブコンテンツの再生速度変更を要求する時、前記制約変更データによって前記再生速度変更が可能であるか否かを判断し、前記再生速度変更が可能なら、前記再生速度を変更し、そうでなければ、前記再生速度を維持することを特徴とする請求項１９に記載のＤＲＭコンテンツ提供システム。
【発明の詳細な説明】
【技術分野】
【０００１】
本発明は、通信システム及びその動作方法に関し、特にデジタル著作権管理（Ｄｉｇｉｔａｌ  Ｒｉｇｈｔｓ  Ｍａｎａｇｅｍｅｎｔ；ＤＲＭ）のためのコンテンツ（ｃｏｎｔｅｎｔｓ）提供システム及びその方法に関する。
【背景技術】
【０００２】
一般に、デジタル著作権管理技術は、デジタルコンテンツ（ｄｉｇｉｔａｌ  ｃｏｎｔｅｎｔｓ）に対する権利を安全に保護し、体系的に管理するための技術である。アナログコンテンツ（ａｎａｌｏｇ  ｃｏｎｔｅｎｔｓ）とは異なって、デジタルコンテンツは、損失なしに複製されることができ、容易に再使用及び加工されて配布されることができる。この際、デジタルコンテンツは、比較的多くの資源で製作されるのに対し、比較的少ない費用と努力で複製及び配布できてしまう。これにより、デジタル著作権管理技術が次第に重要視されていて、デジタル著作権管理技術の適用範囲が次第に拡大されている。このようなデジタル著作権管理技術が適用された通信システムにおいて、コンテンツ提供者（ｃｏｎｔｅｎｔｓ  ｐｒｏｖｉｄｅｒ）は、コンテンツ需要者（ｃｏｎｔｅｎｔｓ  ｕｓｅｒ）にデジタルコンテンツを提供することができる。
【発明の概要】
【発明が解決しようとする課題】
【０００３】
ところが、前述のような通信システムにおいて、コンテンツ提供者は、コンテンツ需要者の要求と関係なく、多数のデジタルコンテンツを提供することができる。例えば、コンテンツ提供者は、コンテンツ需要者によって要求される一般コンテンツと共に、任意の広告コンテンツを提供することができる。この際、コンテンツ需要者が広告コンテンツの利用を拒絶することによって、通信システムにおいて広告コンテンツを提供するのに所要される資源が浪費されてしまう。
【課題を解決するための手段】
【０００４】
本発明は、少なくとも前記課題を解決するためのものであって、デジタル著作権管理のためのコンテンツ提供システム及びその方法を提供する。
本発明によるＤＲＭコンテンツ提供方法は、通信端末の特定のメインコンテンツの要請時に、コンテンツ供給機関が前記メインコンテンツ及び前記メインコンテンツに対応してあらかじめ設定されたサブコンテンツを含むＤＲＭコンテンツを前記通信端末に伝送する過程と、権利発行機関が前記サブコンテンツの再生を保証するための制約条件情報を有する権利客体を前記通信端末に伝送する過程と、前記ＤＲＭコンテンツ及び権利客体の受信時に、前記通信端末が前記権利客体を分析して前記サブコンテンツを再生し、前記サブコンテンツの再生が完了すれば、前記メインコンテンツを再生する過程とを含むことを特徴とする。
【０００５】
また、本発明によるＤＲＭコンテンツ提供システムは、メインコンテンツ及び前記メインコンテンツに対応するサブコンテンツを含むＤＲＭコンテンツを保存していて、前記メインコンテンツの要請時に、前記ＤＲＭコンテンツを伝送するコンテンツ供給機関と、前記ＤＲＭコンテンツで前記サブコンテンツの再生を保証するための制約条件情報を有する権利客体を保存していて、前記権利客体の要請時に、前記権利客体を伝送する権利発行機関と、前記ＤＲＭコンテンツ及び権利客体の受信時に、前記権利客体を分析して前記サブコンテンツを再生し、前記サブコンテンツの再生が完了すれば、前記メインコンテンツを再生する通信端末とを含むことを特徴とする。
【発明の効果】
【０００６】
したがって、前述のような本発明によるＤＲＭコンテンツ提供システム及びその方法は、権利客体の制約条件情報を通じて通信端末でサブコンテンツの再生を保証することができる。すなわち通信端末でサブコンテンツの再生を拒絶することを防止することができる。これにより、ＤＲＭコンテンツ提供システムにおいてサブコンテンツを提供するのに所要される資源の無駄使いを抑制することができる。
【図面の簡単な説明】
【０００７】
【図１】本発明の実施形態によるＤＲＭコンテンツ提供システムの構成を示す構成図である。
【図２】本発明の実施形態によるＤＲＭコンテンツ提供手続実行時に信号フローを示すフローチャートである。
【図３】本発明の実施形態によるＤＲＭコンテンツの権利客体のＸＭＬスキーマを示す構造図である。
【図４】本発明の実施形態によるＤＲＭコンテンツの権利客体のＸＭＬスキーマを示す構造図である。
【図５】本発明の実施形態によるＤＲＭコンテンツの権利客体のＸＭＬスキーマを示す構造図である。
【図６】本発明の実施形態によるＤＲＭコンテンツの権利客体のＸＭＬスキーマを示す構造図である。
【図７】本発明の実施形態によるＤＲＭコンテンツの権利客体のＸＭＬスキーマを示す構造図である。
【図８】本発明の実施形態によるＤＲＭコンテンツの権利客体のＸＭＬスキーマを示す構造図である。
【図９】本発明の実施形態によるＤＲＭコンテンツの権利客体のＸＭＬスキーマを示す構造図である。
【図１０】本発明の実施形態によるＤＲＭコンテンツ提供システムにおいて通信端末の内部構成を示すブロック図である。
【図１１】本発明の実施形態による通信端末のＤＲＭコンテンツ提供手続を示すフローチャートである。
【図１２】図１１におけるＤＲＭコンテンツ再生手続を示すフローチャートである。
【発明を実施するための形態】
【０００８】
以下、本発明による好ましい実施形態を添付の図面を参照して詳しく説明する。下記の説明では、本発明による動作を理解するのに必要な部分だけが説明され、その他の部分の説明は、本発明の要旨を不明瞭にしないように省略されることを留意しなければならない。
下記説明で、“ＤＲＭコンテンツ”という用語は、通信システムにおいてデジタル著作権管理技術を通じて保護及び管理されるデジタルコンテンツを意味する。この際、ＤＲＭコンテンツは、少なくとも１つのデジタルコンテンツよりなる。“メインコンテンツ（ｍａｉｎ  ｃｏｎｔｅｎｔｓ）”という用語は、ＤＲＭコンテンツに必須に構成されるデジタルコンテンツを意味する。すなわちメインコンテンツは、ＤＲＭコンテンツの少なくとも一部として構成される。この際、メインコンテンツは、テキストデータ、イメージデータまたはオーディオデータなどのうち少なくともいずれか１つよりなることができる。ここで、メインコンテンツは、例えば、写真、動画、ＭＰ３（Ｍｏｖｉｎｇ  Ｐｉｃｔｕｒｅ  ｅｘｐｅｒｔｓ  ｇｒｏｕｐ−１  ａｕｄｉｏ  ｌａｙｅｒ  ３）ファイルなどであることができる。“サブコンテンツ（ｓｕｂ  ｃｏｎｔｅｎｔｓ）”という用語は、ＤＲＭコンテンツに選択的に構成されるデジタルコンテンツを意味する。すなわちサブコンテンツは、メインコンテンツと共にＤＲＭコンテンツの一部として構成されてよく、または、ＤＲＭコンテンツの一部として構成されなくてもよい。この際、サブコンテンツは、テキストデータ、イメージデータまたはオーディオデータなどのうち少なくともいずれか１つよりなることができる。ここで、サブコンテンツは、特定のメインコンテンツから派生した広告コンテンツであることができ、例えば、写真、動画、ＭＰ３ファイルなどであることができる。
また、“権利客体（Ｒｉｇｈｔｓ  Ｏｂｊｅｃｔ）”という用語は、特定デジタルコンテンツを使用するのに要求されるライセンス（ｌｉｃｅｎｓｅ）を意味する。このような権利客体は、特定デジタルコンテンツを使用するのに必須に要求される。この際、ＤＲＭコンテンツがサブコンテンツ及びメインコンテンツよりなる場合、権利客体は、サブコンテンツ及びメインコンテンツを順次に再生するための制約条件情報を含むことができる。
【０００９】
図１は、本発明の実施形態によるＤＲＭコンテンツ提供システムの構成を示す構成図である。この際、本実施形態においてＤＲＭコンテンツ提供システムがＯＭＡ  ＤＲＭ（Ｏｐｅｎ  Ｍｏｂｉｌｅ  Ａｌｌｉａｎｃｅ  ＤＲＭ）標準技術を基盤とする場合を仮定して説明する。
図１を参照すれば、本実施形態のＤＲＭコンテンツ提供システムは、コンテンツ供給機関（Ｃｏｎｔｅｎｔｓ  Ｉｓｓｕｅｒ；ＣＩ）１１０、権利発行機関（Ｒｉｇｈｔｓ  Ｉｓｓｕｅｒ；ＲＩ）１２０及び通信端末（ｃｏｍｍｕｎｉｃａｔｉｏｎ  ｔｅｒｍｉｎａｌ）１３０を含む。
【００１０】
コンテンツ供給機関１１０は、ＤＲＭコンテンツを供給する。このようなコンテンツ供給機関１１０は、デジタルコンテンツを暗号化し、ＤＲＭコンテンツを生成及び保存している。例えば、コンテンツ供給機関１１０は、ＤＲＭコンテンツを技術仕様書であるＯＭＡ−ＴＳ−ＤＲＭ−ＤＣＦ−Ｖ２＿０−２０００６０３０３−Ａに規定されたＤＣＦ（ＤＲＭ  Ｃｏｎｔｅｎｔｓ  Ｆｏｒｍａｔ）で保存することができる。この際、コンテンツ供給機関１１０は、本発明の実施形態によってメインコンテンツ及びサブコンテンツを保存していて、メインコンテンツ別にサブコンテンツを対応させて保存することができる。例えば、コンテンツ供給機関１１０は、特定のメインコンテンツ及びそれに対応するサブコンテンツよりなるＤＲＭコンテンツをマルチパートＤＣＦ（ｍｕｌｔｉｐａｒｔ  ＤＣＦ）で保存することができる。また、通信端末１３０が特定ＤＲＭコンテンツにアクセス（ａｃｃｅｓｓ）する時、コンテンツ供給機関１１０が当該ＤＲＭコンテンツを通信端末１３０に伝送する。この際、通信端末１３０が特定のメインコンテンツにアクセスする時、コンテンツ供給機関１１０は、本発明の実施形態によって当該メインコンテンツにサブコンテンツが対応しているか否かを判断する。また、当該メインコンテンツにサブコンテンツが対応していれば、コンテンツ供給機関１１０は、本発明の実施形態によって当該メインコンテンツ及びサブコンテンツを含むＤＲＭコンテンツを通信端末１３０に伝送することができる。
【００１１】
権利発行機関１２０は、ＤＲＭコンテンツ別に権利客体を供給する。このような権利発行機関１２０は、ＤＲＭコンテンツを復号化するための権利客体を保存している。この際、権利発行機関１２０は、メインコンテンツ及びサブコンテンツ別に権利客体を保存することができる。また、ＤＲＭコンテンツがメインコンテンツ及びサブコンテンツよりなる場合、権利発行機関１２０は、本発明の実施形態によって当該サブコンテンツ及びメインコンテンツを順次に再生するための制約条件情報を有するＤＲＭコンテンツ別に権利客体を保存することができる。また、通信端末１３０が特定ＤＲＭコンテンツの権利客体にアクセスする時、権利発行機関１２０が当該ＤＲＭコンテンツの権利客体を通信端末１３０に伝送する。この際、通信端末１３０が特定のメインコンテンツの権利客体にアクセスする時、権利発行機関１２０は、本発明の実施形態によって当該メインコンテンツにサブコンテンツが対応しているか否かを判断することができる。また、当該メインコンテンツにサブコンテンツが対応していれば、権利発行機関１３０は、本発明の実施形態によって当該メインコンテンツを含むＤＲＭコンテンツの権利客体を通信端末１３０に伝送することができる。
【００１２】
通信端末１３０は、コンテンツ供給機関１１０及び権利発行機関１２０に各々アクセスし、ＤＲＭコンテンツ及び当該ＤＲＭコンテンツの権利客体を獲得することができる。この際、通信端末１３０のユーザによって購入されることによって、通信端末１３０がＤＲＭコンテンツ及び当該ＤＲＭコンテンツの権利客体を獲得することができる。ここで、ＤＲＭコンテンツを獲得し、当該ＤＲＭコンテンツの権利客体を獲得しなければ、通信端末１３０は、当該ＤＲＭコンテンツを復号化することができない。これにより、通信端末１３０は、権利客体無しには、ＤＲＭコンテンツを使用することができない。また、ＤＲＭコンテンツ共有時に、通信端末１３０は、コンテンツ供給機関１１０と別途にＤＲＭコンテンツを獲得することができるが、当該ＤＲＭコンテンツを使用するために権利発行機関１２０にアクセスしなければならない。
【００１３】
また、通信端末１３０は、ＤＲＭコンテンツの権利客体を分析し、当該ＤＲＭコンテンツを再生する。すなわち通信端末１３０は、権利客体を利用して当該ＤＲＭコンテンツを復号化した後、当該ＤＲＭコンテンツを再生する。この際、ＤＲＭコンテンツがメインコンテンツ及びサブコンテンツよりなる場合、通信端末１３０は、本発明の実施形態によってサブコンテンツ及びメインコンテンツを順次に再生する。すなわち通信端末１３０は、権利客体の制約条件情報によってサブコンテンツを再生し、サブコンテンツの再生が完了すれば、メインコンテンツを再生する。
【００１４】
以下、このようなＤＲＭコンテンツ提供システムのＤＲＭコンテンツ提供手続を説明する。図２は、本発明の実施形態によるＤＲＭコンテンツ提供手続実行時の信号フローを示すフローチャートである。また、図３〜図９は、本発明の実施形態によるＤＲＭコンテンツの権利客体のＸＭＬスキーマを示す構造図である。
図２を参照すれば、本実施形態のＤＲＭコンテンツ提供手続は、通信端末１３０が２１１段階でＤＲＭコンテンツをコンテンツ供給機関１１０に要請することから出発する。この際、通信端末１３０は、特定のメインコンテンツを要請することができる。また、ＤＲＭコンテンツ要請時に、コンテンツ供給機関１１０が２１３段階で当該ＤＲＭコンテンツを検索し、通信端末１３０に伝送する。この際、特定のメインコンテンツを検索した結果、当該メインコンテンツにサブコンテンツが対応していれば、コンテンツ供給機関１１０は、当該メインコンテンツ及びサブコンテンツを含むＤＲＭコンテンツを伝送することができる。また、ＤＲＭコンテンツ受信時に、通信端末１３０が２１５段階で当該ＤＲＭコンテンツを保存する。
【００１５】
次に、通信端末１３０が２１７段階で当該ＤＲＭコンテンツの権利客体を権利発行機関１２０に要請する。この際、通信端末１３０は、特定のメインコンテンツの権利客体を要請することができる。また、特定ＤＲＭコンテンツの権利客体の要請時に、権利発行機関１２０が２１９段階で当該ＤＲＭコンテンツの権利客体を検索し、通信端末１３０に伝送する。この際、特定のメインコンテンツの権利客体を検索した結果、当該メインコンテンツにサブコンテンツが対応していれば、権利発行機関１２０は、当該メインコンテンツ及びサブコンテンツを含むＤＲＭコンテンツの権利客体を伝送する。例えば、権利客体は、図３に示されたように、当該ＤＲＭコンテンツがメインコンテンツ及びサブコンテンツよりなることを示すことができる。この際、権利客体は、権利客体の背景、例えば、バージョン（ｖｅｒｓｉｏｎ）及び識別子（ＲｉｇｈｔｓＯｂｊｅｃｔＩＤ）を含む状況（ｃｏｎｔｅｘｔ）要素と、サブコンテンツ及びメインコンテンツの識別子を含む協議（ａｇｒｅｅｍｅｎｔ）要素と、サブコンテンツ及びメインコンテンツの再生を許可するための許可（ｐｅｒｍｉｓｓｉｏｎ）要素とを含む。ここで、‘Ａｓｓｅｔ−１’は、固有識別子‘ＣｏｎｔｅｎｔＩＤ１’を有するサブコンテンツのコンテンツ定義名（ｃｏｎｔｅｎｔｓ  ｎａｍｅ）を示し、‘Ａｓｓｅｔ−２’は、固有識別子‘ＣｏｎｔｅｎｔＩＤ２’を有するメインコンテンツのコンテンツ定義名を示す。すなわち権利客体は、許可要素を通じて通信端末１３０でサブコンテンツ及びメインコンテンツの再生が可能であることを示すことができる。
【００１６】
また、権利客体は、図４に示されたように、当該メインコンテンツと共に、サブコンテンツの再生を保証するための制約条件情報（“ｃｏｎｓｔｒａｉｎｔ”）を含むことができる。すなわち権利客体は、許可要素に通信端末１３０でサブコンテンツ及びメインコンテンツの再生順序（ｏｒｄｅｒ）を制限するための制約条件情報を含むことができる。この際、制約条件情報は、図５に示されたように、通信端末１３０でサブコンテンツの再生回数を制限するための制約回数（ｃｏｎｓｔｒａｉｎｔ  “ｍｉｎ  ｃｏｕｎｔ”）をさらに含むことができる。また、制約条件情報は、図６に示されたように、通信端末１３０でサブコンテンツの再生速度（ｒｅｐｒｏｄｕｃｔｉｏｎ  ｓｐｅｅｄ）変更を制限するための制約変更データ（ｃｏｎｓｔｒａｉｎｔ  “Ｎｏｔ  ａｌｌｏｗｅｄ”）をさらに含むことができる。また、制約条件情報は、図７に示されたように、通信端末１３０でサブコンテンツの再生速度（ｒｅｐｒｏｄｕｃｔｉｏｎ  ｓｐｅｅｄ）を制限するための制約速度（ｃｏｎｓｔｒａｉｎｔ  “ｓｐｅｅｄ”）をさらに含むことができる。また、制約条件情報は、図８に示されたように、通信端末１３０でサブコンテンツの再生判断基準を制限するための制約基準（ｃｏｎｓｔｒａｉｎｔ  “ｃｏｍｐｌｅｔｅｄ”）をさらに含むことができる。
【００１７】
次に、ＤＲＭコンテンツの権利客体の受信時に、通信端末１３０が２２１段階でこれを分析し、２２３段階で当該ＤＲＭコンテンツを再生する。この際、ＤＲＭコンテンツがメインコンテンツ及びサブコンテンツよりなる場合、通信端末１３０は、サブコンテンツ及びメインコンテンツを順次に再生する。すなわち通信端末１３０は、権利客体の制約条件情報によってサブコンテンツを再生し、サブコンテンツの再生が完了すれば、メインコンテンツを再生する。例えば、権利客体が図９に示されたように、制約変更データ（ｃｏｎｓｔｒａｉｎｔ  “Ｎｏｔ  ａｌｌｏｗｅｄ”）、制約回数（ｃｏｎｓｔｒａｉｎｔ  “ｍｉｎ  ｃｏｕｎｔ”）及び制約基準（ｃｏｎｓｔｒａｉｎｔ  “ｃｏｍｐｌｅｔｅｄ”）を含んでいれば、通信端末１３０は、サブコンテンツの７０％以上を再生速度（ｒｅｐｒｏｄｕｃｔｉｏｎ  ｓｐｅｅｄ）変更なしに少なくとも１回再生した後、メインコンテンツを再生しなければならない。言い換えれば、通信端末１３０は、サブコンテンツの再生時に、早送り（Ｆａｓｔ  Ｆｏｒｗａｒｄ；ＦＦ）またはスキップ（ｓｋｉｐ）要求を無視する。
【００１８】
このようなＤＲＭコンテンツ提供システムにおいて、通信端末１３０の内部構成を説明すれば、次の通りである。図１０は、本発明の実施形態によるＤＲＭコンテンツ提供システムにおいて通信端末の内部構成を示すブロック図である。この際、本実施形態で通信端末１３０が携帯電話である場合を仮定して説明する。
図１０を参照すれば、本実施形態の通信端末１３０は、通信部４１０、入力部４２０、メモリ４３０、制御部４４０、オーディオ処理部４５０及び表示部４６０を含む。
【００１９】
通信部４１０は、通信端末１３０の通信機能を行う。このような通信部４１０は、送信される信号の周波数を上昇変換及び増幅する送信機と、受信される信号を低雑音増幅し、周波数を下降変換する受信機などを含む。
入力部４２０は、数字及び文字情報を入力するためのキー及び各種機能を設定するための機能キーよりなる。この際、入力部４２０は、例えば、キーパッド（ｋｅｙｐａｄ）、ジョグダイヤル（ｊｏｇ  ｄｉａｌ）、タッチパッド（ｔｏｕｃｈ  ｐａｄ）、ジョイ・スティック（ｊｏｙ  ｓｔｉｃｋ）などで具現されることができる。
メモリ４３０は、プログラムメモリ及びデータメモリで構成されることができる。プログラムメモリは、通信端末１３０の一般的な動作を制御するためのプログラムを保存する。この際、プログラムメモリは、本発明の実施形態によってＤＲＭコンテンツ提供のためのプログラムを保存する。データメモリは、プログラム実行中に発生するデータを保存する機能を行う。
【００２０】
制御部４４０は、通信端末１３０の全般的な動作を制御する機能を行う。このような制御部４４０は、送信される信号を符号化及び変調する送信機と、受信される信号を復調及び復号化する受信機などを備えるデータ処理部を含む。この際、データ処理部は、モデム（ＭＯＤＥＭ）及びコーデック（ＣＯＤＥＣ）で構成されることができる。ここで、コーデックは、パケットデータなどを処理するデータコーデックと音声などのオーディオ信号を処理するオーディオコーデックを備える。また、制御部４４０は、本発明の実施形態によってＤＲＭエージェント（ＤＲＭ  Ａｇｅｎｔ）として動作することができる。すなわち制御部４４０は、本発明の実施形態によってコンテンツ再生モードを行うことができる。また、制御部４４０は、通信部４１０を通じてコンテンツ供給機関１１０及び権利発行機関１２０にアクセスし、ＤＲＭコンテンツ及び当該ＤＲＭコンテンツの権利客体を獲得することができる。また、制御部４４０は、ＤＲＭコンテンツをメモリ４３０に保存することができる。さらに、制御部４４０は、権利客体を分析し、当該ＤＲＭコンテンツを再生することができる。
【００２１】
オーディオ処理部４５０は、データ処理部のオーディオコーデックで出力される受信オーディオ信号をスピーカー（ＳＰＫ）を通じて再生するか、またはマイク（ＭＩＣ）から発生する送信オーディオ信号をデータ処理部のオーディオコーデックに伝送する機能を行う。
表示部４６０は、制御部４４０で出力されるユーザデータを表示する。このような表示部４６０は、ＬＣＤを使用することができ、このような場合、表示部４６０は、ＬＣＤ制御部、映像データを保存することができるメモリ及びＬＣＤ表示素子などを備えることができる。この際、ＬＣＤをタッチスクリーン（ｔｏｕｃｈ  ｓｃｒｅｅｎ）方式で具現する場合、入力部として動作することもできる。
【００２２】
以下、このような通信端末１３０のＤＲＭコンテンツ提供手続を説明する。図１１は、本発明の実施形態による通信端末のＤＲＭコンテンツ提供手続を示すフローチャートである。
図１１を参照すれば、本実施形態で通信端末１３０のＤＲＭコンテンツ提供手続は、制御部４４０が５１１段階でコンテンツ再生モードを行うことから出発する。この際、制御部４４０は、５１３段階で、特定のメインコンテンツをコンテンツ供給機関１１０に要請する。また、ＤＲＭコンテンツが受信されれば、制御部４４０が５１５段階でこれを感知し、５１７段階で当該ＤＲＭコンテンツを保存する。その後、制御部４４０は、５１９段階で当該メインコンテンツの権利客体を権利発行機関１２０に要請する。また、権利客体が受信されれば、制御部４４０が５２１段階でこれを感知し、５２３段階で権利客体を分析し、５２５段階で当該ＤＲＭコンテンツを再生する。
【００２３】
この際、制御部４４０がＤＲＭコンテンツを再生する手続をさらに詳細に説明すれば、次の通りである。図１２は、図１１でＤＲＭコンテンツ再生手続を示すフローチャートである。
図１２を参照すれば、制御部４４０は、６１１段階で当該ＤＲＭコンテンツにサブコンテンツが存在するか否かを判断する。この際、ＤＲＭコンテンツにサブコンテンツが存在するものと判断されれば、制御部４４０は、６１３段階でサブコンテンツの再生回数（ｒｅｐｒｏｄｕｃｔｉｏｎ  “ｍｉｎ  ｃｏｕｎｔ”）；Ｎ）を１に設定し、６１５段階で、サブコンテンツを再生する。ここで、権利客体の制約条件情報が制約速度（ｃｏｎｓｔｒａｉｎｔ  “ｓｐｅｅｄ”）を保存していれば、制御部４４０は、サブコンテンツを制約速度（ｃｏｎｓｔｒａｉｎｔ  “ｓｐｅｅｄ”）に相当する再生速度（ｒｅｐｒｏｄｕｃｔｉｏｎ  ｓｐｅｅｄ）で再生する。例えば、権利客体に図７に示されたように、‘＜ｓｐｅｅｄ＞１ｘ／＜ｓｐｅｅｄ＞’で制約速度（ｃｏｎｓｔｒａｉｎｔ  “ｓｐｅｅｄ”）が設定されていれば、制御部４４０は、サブコンテンツを１倍速で再生する。または、権利客体の制約条件情報が制約速度（ｃｏｎｓｔｒａｉｎｔ  “ｓｐｅｅｄ”）を保存していなければ、制御部４４０は、サブコンテンツをあらかじめ設定されたデフォルト（ｄｅｆａｕｌｔ）速度に相当する再生速度（ｃｏｎｓｔｒａｉｎｔ  ｓｐｅｅｄ）で再生する。
【００２４】
次に、サブコンテンツ再生中に再生速度（ｒｅｐｒｏｄｕｃｔｉｏｎ  ｓｐｅｅｄ）を変更するための要求が発生すれば、制御部４４０が６１７段階でこれを感知し、６１９段階で権利客体の制約条件情報を通じて制約速度（ｃｏｎｓｔｒａｉｎｔ  “ｓｐｅｅｄ”）が設定されているか否かを判断する。また、６１９段階で、権利客体に制約速度（ｃｏｎｓｔｒａｉｎｔ  “ｓｐｅｅｄ”）が設定されていないものと判断されれば、制御部４４０は、６２１段階で権利客体の制約条件情報を通じて制約変更データ（ｃｏｎｓｔｒａｉｎｔ  “Ｎｏｔ  ａｌｌｏｗｅｄ”）が設定されているか否かを判断する。例えば、権利客体に図６に示されたように、‘＜Ｎｏｔ  ａｌｌｏｗｅｄ＞ＦＦ，ｓｋｉｐ＜／Ｎｏｔ  ａｌｌｏｗｅｄ＞’で制約変更データ（ｃｏｎｓｔｒａｉｎｔ  “Ｎｏｔ  ａｌｌｏｗｅｄ”）が設定されているか否かを判断する。この際、６２１段階で権利客体に制約変更データ（ｃｏｎｓｔｒａｉｎｔ  “Ｎｏｔ  ａｌｌｏｗｅｄ”）が設定されていないものと判断されれば、制御部４４０は、６２３段階で再生速度（ｃｏｎｓｔｒａｉｎｔ  ｓｐｅｅｄ）を変更した後、６１５段階〜６２１段階を繰り返して行うことができる。一方、６２１段階で権利客体に制約変更データ（ｃｏｎｓｔｒａｉｎｔ  “Ｎｏｔ  ａｌｌｏｗｅｄ”）が設定されているものと判断されれば、制御部４４０は、再生速度（ｃｏｎｓｔｒａｉｎｔ  ｓｐｅｅｄ）を維持する。
【００２５】
次いで、サブコンテンツ再生中に再生停止が発生すれば、制御部４４０が６２５段階でこれを感知し、６２７段階でサブコンテンツの再生比率が制約基準（ｃｏｎｓｔｒａｉｎｔ  “ｃｏｍｐｌｅｔｅｄ”）を超過したか否かを判断する。例えば、権利客体に図８に示されたように、‘＜ｃｏｍｐｌｅｔｅｄ＞７０％＜／ｃｏｍｐｌｅｔｅｄ＞’で制約基準（ｃｏｎｓｔｒａｉｎｔ  “ｃｏｍｐｌｅｔｅｄ”）が設定されていれば、制御部４４０は、サブコンテンツの再生比率が７０％を超過したか否かを判断する。この際、６２７段階でサブコンテンツの再生比率が制約基準（ｃｏｎｓｔｒａｉｎｔ  “ｃｏｍｐｌｅｔｅｄ”）以下のものと判断されれば、制御部４４０は、サブコンテンツの再生が失敗したものと決定し、当該再生回数（ｒｅｐｒｏｄｕｃｔｉｏｎ  “ｍｉｎ  ｃｏｕｎｔ”）によって６１５段階〜６２７段階を繰り返して行うことができる。一方、６２７段階で、サブコンテンツの再生比率が制約基準（ｃｏｎｓｔｒａｉｎｔ  “ｃｏｍｐｌｅｔｅｄ”）を超過したものと判断されれば、制御部４４０は、サブコンテンツの再生が完了したものと決定することができる。
【００２６】
続いて、６２７段階でサブコンテンツの再生比率が制約基準（ｃｏｎｓｔｒａｉｎｔ  “ｃｏｍｐｌｅｔｅｄ”）を超過したものと判断されれば、制御部４４０は、６２９段階でサブコンテンツの再生回数（ｒｅｐｒｏｄｕｃｔｉｏｎ  “ｍｉｎ  ｃｏｕｎｔ”）が制約回数（ｃｏｎｓｔｒａｉｎｔ  “ｍｉｎ  ｃｏｕｎｔ”）に到達したか否かを判断する。例えば、権利客体に図５に示されたように‘＜ｍｉｎ  ｃｏｕｎｔ＞１／＜ｍｉｎ  ｃｏｕｎｔ＞’で制約回数（ｃｏｎｓｔｒａｉｎｔ  “ｍｉｎ  ｃｏｕｎｔ”）が設定されていれば、制御部４４０は、サブコンテンツの再生回数（ｒｅｐｒｏｄｕｃｔｉｏｎ  “ｍｉｎ  ｃｏｕｎｔ”）が１に到達したか否かを判断する。この際、６２９段階でサブコンテンツの再生回数（ｒｅｐｒｏｄｕｃｔｉｏｎ  “ｍｉｎ  ｃｏｕｎｔ”）が制約回数（ｃｏｎｓｔｒａｉｎｔ  “ｍｉｎ  ｃｏｕｎｔ”）に到逹しないものと判断されれば、制御部４４０は、６３１段階でサブコンテンツの再生回数（ｒｅｐｒｏｄｕｃｔｉｏｎ  “ｍｉｎ  ｃｏｕｎｔ”）を１だけ増加させた後、６１５段階〜６２９段階を繰り返して行うことができる。最後に、６２９段階でサブコンテンツの再生回数（ｒｅｐｒｏｄｕｃｔｉｏｎ  “ｍｉｎ  ｃｏｕｎｔ”）が制約回数（ｃｏｎｓｔｒａｉｎｔ  “ｍｉｎ  ｃｏｕｎｔ”）に到逹したものと判断されれば、制御部４４０は、６３３段階でメインコンテンツを再生した後、図１１にリターンする。
一方、６１１段階で、ＤＲＭコンテンツにサブコンテンツが存在しないものと判断されれば、制御部４４０は、６３３段階でメインコンテンツを再生した後、図１１にリターンする。
【００２７】
本発明によれば、ＤＲＭコンテンツ提供システムにおいて権利客体の制約条件情報を通じて通信端末でサブコンテンツの再生を保証することができる。すなわち通信端末でサブコンテンツの再生を拒絶することを防止することができる。これにより、ＤＲＭコンテンツ提供システムにおいてサブコンテンツを提供するのに所要される資源の無駄使いを抑制することができる。
【００２８】
なお、本明細書と図面に開示された本発明の実施形態は、本発明の技術内容を容易に説明し、本発明の理解を助けるために特定例を提示したものに過ぎず、本発明の範囲を限定しようとするものではない。すなわち本発明の技術的思想に基づく他の変形例が実施可能であることは本発明の属する技術分野における通常の知識を有する者に自明だろう。
【符号の説明】
【００２９】
１１０  コンテンツ供給機関
１２０  権利発行機関
１３０  通信端末
４１０  通信部
４２０  入力部
４３０  メモリ
４４０  制御部
４５０  オーディオ処理部
４６０  表示部
【図１】
2012514784.tif 000003
【図２】
2012514784.tif 000004
【図３】
2012514784.tif 000005
【図４】
2012514784.tif 000006
【図５】
2012514784.tif 000007
【図６】
2012514784.tif 000008
【図７】
2012514784.tif 000009
【図８】
2012514784.tif 000010
【図９】
2012514784.tif 000011
【図１０】
2012514784.tif 000012
【図１１】
2012514784.tif 000013
【図１２】
2012514784.tif 000014
【国際調査報告】
2012514784.tif 000015
2012514784.tif 000016
2012514784.tif 000017
2012514784.tif 000018